(57)【要約】      （修正有）【課題】エアフィルターの挿入を確実に行うことができる空気調和機の室内機を提供する。【解決手段】本発明の空気調和機の室内機は、室内熱交換器と、室内熱交換器の上流側に配置されるエアフィルター７と、エアフィルター７を支持するエアフィルター枠と、エアフィルター枠の両側にエアフィルター７をガイドするガイドレールとを備え、エアフィルターとエアフィルター枠の互いに対向するそれぞれの面上に磁石９ｂを配置し、エアフィルター７をエアフィルター枠に取り付けた際に、エアフィルターに配置した磁石と、エアフィルター枠に配置した磁石とが互いに引き合うように構成した。【選択図】図６
2012251700.tif 000002
【特許請求の範囲】
【請求項１】
室内熱交換器と、前記室内熱交換器の上流側に配置されるエアフィルターと、前記エアフィルターを支持するエアフィルター枠と、前記エアフィルター枠の両側に前記エアフィルターをガイドするガイドレールとを備え、前記エアフィルターと前記エアフィルター枠の互いに対向するそれぞれの面上に磁石を配置し、前記エアフィルターを前記エアフィルター枠に取り付けた際に、前記エアフィルターに配置した磁石と、前記エアフィルター枠に配置した磁石とが互いに引き合うように構成したことを特徴とする空気調和機の室内機。
【請求項２】
前記磁石は前記エアフィルターの先端側に取り付けたことを特徴とする請求項１に記載の空気調和機の室内機。
【請求項３】
前記エアフィルター枠に配置される磁石は、前記ガイドレールに沿って複数個配置されることを特徴とする請求項１または請求項２に記載の空気調和機の室内機。
【請求項４】
前記エアフィルター枠の一部をくり抜いて、くり抜いた箇所に磁石を配置したことを特徴とする請求項１から請求項３のいずれか１項に記載の空気調和機の室内機。
【発明の詳細な説明】
【技術分野】
【０００１】
本発明は、エアフィルターを自動で掃除する機構を搭載した空気調和機の室内機に関する。
【背景技術】
【０００２】
従来からの空気調和機の室内機は、エアフィルターの枠にガイドレールを設けて、エアフィルターをガイドレールに沿わせて本体に取り付ける構成としている（例えば、特許文献１参照）。
【先行技術文献】
【特許文献】
【０００３】
【特許文献１】実開平３−１２７１２５号公報
【発明の概要】
【発明が解決しようとする課題】
【０００４】
しかしながら、前記従来の構成では、エアフィルターを挿入する挿入口の視認性が悪く、エアフィルターをうまくガイドレールに挿入できない場合には、エアフィルターが浮いた状態となってしまい、エアフィルターを自動で掃除する機構がエアフィルターに引っ掛かってしまい、異常停止してしまうという課題を有していた。
【０００５】
本発明は、前記従来の課題を解決するもので、エアフィルターの挿入を確実に行うことができる空気調和機の室内機を提供することを目的とする。
【課題を解決するための手段】
【０００６】
前記従来の課題を解決するために、本発明の空気調和機の室内機は、室内熱交換器と、室内熱交換器の上流側に配置されるエアフィルターと、エアフィルターを支持するエアフィルター枠と、エアフィルター枠の両側にエアフィルターをガイドするガイドレールとを備え、エアフィルターとエアフィルター枠の互いに対向するそれぞれの面上に磁石を配置し、エアフィルターをエアフィルター枠に取り付けた際に、エアフィルターに配置した磁石と、エアフィルター枠に配置した磁石とが互いに引き合うように構成したことにより、エアフィルターをエアフィルター枠に取り付けた際に、磁石が引き合うので作業性が向上し、かつ、作業者は挿入した際に磁石同士が引き合う感触を得ることができるので、確実にエアフィルターが取り付けられたことが確認できる。
【発明の効果】
【０００７】
本発明は、エアフィルターの挿入を確実に行うことができる空気調和機の室内機を提供することができる。
【図面の簡単な説明】
【０００８】
【図１】本発明の実施の形態１における空気調和機の室内機の正面図
【図２】同実施の形態１におけるＡＡ断面図
【図３】同実施の形態１における空気調和機の室内機の斜視図
【図４】同実施の形態１における要部斜視図
【図５】同実施の形態１における要部斜視図
【図６】同実施の形態１における要部斜視図
【図７】本発明の実施の形態２における空気調和機の要部斜視図
【発明を実施するための形態】
【０００９】
第１の発明の空気調和機の室内機は、室内熱交換器と、室内熱交換器の上流側に配置されるエアフィルターと、エアフィルターを支持するエアフィルター枠と、エアフィルター枠の両側にエアフィルターをガイドするガイドレールとを備え、エアフィルターとエアフィルター枠の互いに対向するそれぞれの面上に磁石を配置し、エアフィルターをエアフィルター枠に取り付けた際に、エアフィルターに配置した磁石と、エアフィルター枠に配置した磁石とが互いに引き合うように構成したことにより、エアフィルターをエアフィルター枠に取り付けた際に、磁石が引き合うので作業性が向上し、かつ、作業者は挿入した際に磁石同士が引き合う感触を得ることができるので、確実にエアフィルターが取り付けられたことが確認できる。
【００１０】
第２の発明の空気調和機の室内機は、特に第１の発明において、磁石はエアフィルターの先端側に取り付けたことにより、エアフィルターの取り付け作業性が向上する。
【００１１】
第３の発明の空気調和機の室内機は、特に第１または第２の発明において、エアフィルター枠に配置される磁石は、ガイドレールに沿って複数個配置されることにより、エアフィルターを取り付ける際に、エアフィルターに配置した磁石が、エアフィルター枠に配置した複数個の磁石に沿って取り付けられるので、さらに作業性が向上する。
【００１２】
第４の発明の空気調和機の室内機は、特に第１から第３のいずれかの発明において、エアフィルター枠の一部をくり抜いて、くり抜いた箇所に磁石を配置したことにより、厚みを厚くすることなく、エアフィルター枠を構成することができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における空気調和機の室内機の正面図を示すものである。図２はＡＡ断面図、図３は本実施の形態１における空気調和機の室内機の斜視図、図４は要部拡大斜視図、図５は要部拡大斜視図、図６は、エアフィルターの裏面要部拡大斜視図である。
【００１５】
本実施の形態における空気調和機は、室内に設置される室内機と、室外に設置される室外機とで構成され、それぞれが冷媒配管で接続されている。
【００１６】
まず、空気調和機の室内機１の内部には、冷媒と室内空気とが熱交換を行う室内熱交換器２と、室内空気を室内熱交換器２へ送風して熱交換された空気を室内へ吹き出すクロスフローファン３と、送風回路の一部を形成する吹き出しグリル４とを有する。
【００１７】
さらに、室内熱交換器２の上流側にはエアフィルター７が配置され、吸い込まれた空気に混入している塵埃等をエアフィルター７で捕集可能に構成されている。また、エアフィルター７はエアフィルター枠６に取り付けられるように構成されている。
【００１８】
また、エアフィルター７の前面側にはお掃除ノズル８が配置され、お掃除ノズル８にてエアフィルター７に捕集された塵埃を収集している。
【００１９】
なお、お掃除ノズル８には排気ファンユニット（図示せず）が接続され、排気ファンユニットの内部にあるファンが駆動することによって、お掃除ノズル８でエアフィルター７に捕集された塵埃を捕集して、排気ファンユニットよりも下流側に配置されている排気ホースを経て外部に排出される構成となっている。
【００２０】
また、排気ホースにて塵埃を外部に排出する構成以外にも、塵埃を溜める収納部（図示せず）を設けて、お掃除ノズル８で吸い込んだ塵埃を収納部に溜める構成でもよい。
【００２１】
このように構成された空気調和機の室内機において、エアフィルター７で捕集された塵埃をお掃除ノズル８で吸引する際には、お掃除ノズル８がエアフィルター７の左右方向に駆動することによって、順次吸引していき、エアフィルター７の全面を自動で掃除できるようになっている。
【００２２】
このとき、エアフィルター７の取り付け異常によって、エアフィルター７の浮き上がり等が発生していると、お掃除ノズル８がエアフィルター７に引っ掛かってしまい、正常にエアフィルター７の掃除ができない。
【００２３】
そこで、本実施の形態１では、エアフィルター７とエアフィルター枠６の両方に磁石を配置して、エアフィルター７をエアフィルター枠６に確実に取り付けるようにしている。以下、エアフィルター７とエアフィルター枠６の構成について説明する。
【００２４】
本実施の形態において、エアフィルター枠６の左右両端部には、断面形状がコの字形状となるガイドレール６ａを設けており、エアフィルター７の左右両端部をガイドレール６ａに収まるように挿入することで、エアフィルター７がエアフィルター枠６に取り付けられる。
【００２５】
しかしながら、エアフィルター枠６の前面側にはお掃除ノズル８のような、自動でエアフィルター７の掃除を行う機構が存在するため、エアフィルター７をエアフィルター枠６に取り付ける際の視認性が悪い。
【００２６】
本実施の形態では、エアフィルター７とエアフィルター枠６の互いに対向するそれぞれの面上に磁石を配置している。図５に示すように、エアフィルター枠６においては磁石９ａが取り付けられ、図６に示すようにエアフィルター７の裏面側には磁石９ｂが取り付けられている。このとき磁石９ａと磁石９ｂとは、互いに対向する側の磁極は反対となるようにしている。例えば、磁石９ａにおいてエアフィルター７側の面の磁極をＮ極とすると、磁石９ｂにおいてエアフィルター枠６側の面の磁極をＳ極とする。
【００２７】
また、磁石９ａの取り付け方法は、エアフィルター枠６の上に両面テープで貼り付けて構成することも考えられるが、その場合には、エアフィルター枠６厚みが厚くなってしまうので、エアフィルター枠６の一部をくり抜いて、くり抜いた部分に磁石を埋め込むように構成することで、エアフィルター枠６の厚みを厚くすることがない。
【００２８】
また、磁石９ｂの取り付け位置は、エアフィルター７の先端側にある方が好ましい。これは、エアフィルター７を取り付けた際に前面および上面の吸い込み口をカバーするようにエアフィルター７が湾曲するため、エアフィルター７の先端に行くにつれて反りが大きくなる。そのため、エアフィルター７の先端部をエアフィルター枠６側にひきつけるように構成することで、よりエアフィルター７の浮き上がりを防止することができる。
【００２９】
なお、エアフィルター７の先端側とは、エアフィルター７が湾曲する部分よりも挿入方向に先端側という意味である。
【００３０】
このように構成することによって、エアフィルター７を挿入した際に、エアフィルター枠６に設けている磁石９ａと、エアフィルター７に設けている磁石９ｂとが密着することになり、作業者は磁石９ａと磁石９ｂとが互いに引き合う感触を得ることができるので、
確実にエアフィルター７が取り付けられたことを確認することができる。
【００３１】
（実施の形態２）
図７は、本発明の実施の形態２におけるエアフィルター枠６の要部斜視図である。図７に示すように、エアフィルター枠６の磁石９ａは、エアフィルター７が挿入する方向に沿って複数個配置している。
【００３２】
このように複数個の磁石９ａを配置することによって、エアフィルター７に配置されている磁石９ｂが磁石９ａの配置にしたがって誘導されることになり、より作業性を向上させることができる。
【産業上の利用可能性】
【００３３】
本発明は、複数の室内機を有するマルチ型の空気調和機の室内機にも適用することができる。
【符号の説明】
【００３４】
６  エアフィルター枠
７  エアフィルター
９ａ  磁石
９ｂ  磁石
【図１】
2012251700.tif 000003
【図２】
2012251700.tif 000004
【図３】
2012251700.tif 000005
【図４】
2012251700.tif 000006
【図５】
2012251700.tif 000007
【図６】
2012251700.tif 000008
【図７】
2012251700.tif 000009